(57)【要約】【課題】画像処理装置のユーザーが釣り銭を取り忘れた後に、前記ユーザーと前記ユーザーが取り忘れた前記釣り銭との対応関係を確認した上で前記釣り銭を前記ユーザーに提供することができること。【解決手段】画像形成部２は、非視認性の透かしが付加された読取画像をシートに形成する。未取得検知部５１ｅは、釣り銭がユーザーによって返金部から取得されなかった未取得状態を検知する。データ管理部５１ｆは、前記未取得状態が検知された前記釣り銭に対応する返金識別データおよび返金額データを不揮発性のデータ記憶部に記憶させる。読取画像から前記返金識別データを表す前記透かしが抽出された場合に、課金制御部５３が、前記返金額データが表す額の釣り銭を前記返金部に排出する処理を金銭処理部４に実行させる。【選択図】図１
2018173738.tif 000002
【特許請求の範囲】
【請求項１】
原稿の画像を読み取る読取処理を実行する画像読取部と、
前記画像読取部による読取画像に識別情報を表す非視認性の透かしを付加する透かし処理部と、
前記透かしが付加された前記読取画像をシートに形成する印刷処理を実行可能な画像形成部と、
入金部、貯留部および返金部を有し、前記入金部により受け入れられた金銭を前記貯留部に貯め、前記貯留部に貯まった金銭の一部を前記返金部へ排出可能な金銭処理部と、
前記入金部により受け入れられた金銭の額と前記印刷処理の内容に応じた課金額との差額を算出し、前記差額に対応する釣り銭を前記返金部に排出する一次返金処理を前記金銭処理部に実行させる課金制御部と、
前記釣り銭がユーザーによって前記返金部から取得されなかった未取得状態を検知する未取得検知部と、
前記未取得状態が検知された前記釣り銭に対応する前記識別情報を表す返金識別データおよび前記釣り銭の額を表す返金額データを含む返金管理データを不揮発性のデータ記憶部に記憶させ、さらに、前記返金識別データに対応する前記返金額データを前記データ記憶部から取得可能なデータ管理部と、
予め定められた返金モードが動作モードとして選択された状態で前記画像読取部による前記読取処理が行われた場合に、前記画像読取部による読取画像から前記透かしを抽出する透かし抽出処理を実行する透かし抽出部と、を備え、
前記透かし抽出処理によって前記返金管理データにおける前記返金識別データを表す前記透かしが抽出された場合に、
前記課金制御部が、前記透かし抽出処理によって抽出された前記透かしが表す前記返金識別データに対応する前記返金額データが表す額の釣り銭を前記返金部に排出する二次返金処理を前記金銭処理部に実行させ、
さらに、前記データ管理部が、前記透かし抽出処理によって抽出された前記透かしが表す前記返金識別データを含む前記返金管理データを前記データ記憶部から削除する、画像処理装置。
【請求項２】
返金操作を受け付ける返金操作部をさらに備え、
前記課金制御部は、前記未取得状態が検知される前に、前記返金操作部に対する操作に応じて前記金銭処理部に前記一次返金処理を実行させ、
前記未取得検知部は、前記印刷処理が実行された後に、前記画像読取部および前記画像形成部が動作せず、かつ、前記返金操作部に対する操作が行われない状態が予め定められた時間継続した場合に、前記未取得状態を検知する、請求項１に記載の画像処理装置。
【請求項３】
前記返金部に存在する前記釣り銭を検知する釣り銭センサーをさらに備え、
前記未取得検知部は、前記一次返金処理が実行された後に、前記釣り銭センサーによって前記返金部の前記釣り銭が検知される状態が予め定められた時間継続した場合に、前記未取得状態を検知する、請求項１に記載の画像処理装置。
【請求項４】
前記未取得状態が前記未取得検知部によって検知された場合に警報処理を実行する警報処理部をさらに備える、請求項３に記載の画像処理装置。
【請求項５】
ネットワークを通じて前記データ記憶部を備えるサーバー装置と通信可能な通信部をさらに備え、
前記データ管理部は、前記通信部を通じて前記サーバー装置にアクセスすることにより、前記データ記憶部に前記返金管理データを記憶させる処理、前記データ記憶部から前記返金額データを取得する処理および前記返金管理データを前記データ記憶部から削除する処理を実行する、請求項１から請求項４のいずれか１項に記載の画像処理装置。
【発明の詳細な説明】
【技術分野】
【０００１】
本発明は、画像処理装置に関する。
【背景技術】
【０００２】
一般に、店舗に設置されるコピー機などの画像処理装置は、画像読取部と、画像形成部と、金銭処理部と、課金制御部とを備える。コピー処理において、前記画像読取部は、原稿の画像を読み取り、前記画像形成部は読取画像に基づく印刷処理を実行する。
【０００３】
前記金銭処理部は、入金部、貯留部および返金部を有する。前記金銭処理部は、前記入金部により受け入れられた金銭を前記貯留部に貯め、前記貯留部に貯まった金銭の一部を前記返金部へ排出可能である。前記課金制御部は、前記入金部により受け入れられた金銭の額と課金額との差額に対応する釣り銭を前記返金部に排出する返金処理を前記金銭処理部に実行させる。
【０００４】
また、課金装置において、料金投入口と返却操作部と釣り銭返却口とに装置本体の色とは異なる同一の特定色が付されることが知られている（例えば、特許文献１参照）。前記課金装置の構成は、釣り銭の取り忘れの防止を目的としている。
【先行技術文献】
【特許文献】
【０００５】
【特許文献１】特開２０１３−１６８０３４
【発明の概要】
【発明が解決しようとする課題】
【０００６】
ところで、前記店舗に設置された前記画像処理装置は、不特定のユーザーによって利用されるため、ユーザー認証処理を行わない。そのため、前記ユーザーが取り忘れた前記釣り銭が出店者等によって回収された場合、前記ユーザーと前記釣り銭との対応関係を確認することができない。この場合、前記ユーザーは、取り忘れた前記釣り銭を受け取ることができない。
【０００７】
本発明の目的は、画像処理装置のユーザーが釣り銭を取り忘れた後に、前記ユーザーと前記ユーザーが取り忘れた前記釣り銭との対応関係を確認した上で前記釣り銭を前記ユーザーに提供することができる画像処理装置を提供することにある。
【課題を解決するための手段】
【０００８】
本発明の一の局面に係る画像処理装置は、画像読取部と、透かし処理部と、画像形成部と、金銭処理部と、課金制御部と、未取得検知部と、データ管理部と、透かし抽出部と、を備える。前記画像読取部は、原稿の画像を読み取る読取処理を実行する。前記透かし処理部は、前記画像読取部による読取画像に識別情報を表す非視認性の透かしを付加する。前記画像形成部は、前記透かしが付加された前記読取画像をシートに形成する印刷処理を実行可能である。前記金銭処理部は、入金部、貯留部および返金部を有する。前記金銭処理部は、前記入金部により受け入れられた金銭を前記貯留部に貯め、前記貯留部に貯まった金銭の一部を前記返金部へ排出可能である。前記課金制御部は、前記入金部により受け入れられた金銭の額と前記印刷処理の内容に応じた課金額との差額を算出し、前記差額に対応する釣り銭を前記返金部に排出する一次返金処理を前記金銭処理部に実行させる。前記未取得検知部は、前記釣り銭がユーザーによって前記返金部から取得されなかった未取得状態を検知する。前記データ管理部は、前記未取得状態が検知された前記釣り銭に対応する前記識別情報を表す返金識別データおよび前記釣り銭の額を表す返金額データを含む返金管理データを不揮発性のデータ記憶部に記憶させ、さらに、前記返金識別データに対応する前記返金額データを前記データ記憶部から取得可能である。前記透かし抽出部は、予め定められた返金モードが動作モードとして選択された状態で前記画像読取部による前記読取処理が行われた場合に、前記画像読取部による読取画像から前記透かしを抽出する透かし抽出処理を実行する。前記透かし抽出処理によって前記返金管理データにおける前記返金識別データを表す前記透かしが抽出された場合に、前記課金制御部が、前記透かし抽出処理によって抽出された前記透かしが表す前記返金識別データに対応する前記返金額データが表す額の釣り銭を前記返金部に排出する二次返金処理を前記金銭処理部に実行させ、さらに、前記データ管理部が、前記透かし抽出処理によって抽出された前記透かしが表す前記返金識別データを含む前記返金管理データを前記データ記憶部から削除する。
【発明の効果】
【０００９】
本発明によれば、画像処理装置のユーザーが釣り銭を取り忘れた後に、前記ユーザーと前記ユーザーが取り忘れた前記釣り銭との対応関係を確認した上で前記釣り銭を前記ユーザーに提供することができる画像処理装置を提供することが可能になる。
【図面の簡単な説明】
【００１０】
【図１】図１は、第１実施形態に係る画像処理装置のブロック図である。
【図２】図２は、第１実施形態に係る画像処理装置におけるコピー課金制御の手順の一例を示すフローチャートである。
【図３】図３は、第１実施形態に係る画像処理装置における事後返金制御の手順の一例を示すフローチャートである。
【図４】図４は、第１実施形態に係る画像処理装置と通信可能なサーバー装置における返金管理データベースの構成を示す図である。
【図５】図５は、第２実施形態に係る画像処理装置のブロック図である。
【発明を実施するための形態】
【００１１】
以下、添付図面を参照しながら、本発明の実施形態について説明する。なお、以下の実施形態は、本発明を具体化した一例であって、本発明の技術的範囲を限定するものではない。
【００１２】
［画像処理装置１０の構成］
第１実施形態に係る画像処理装置１０は、有料でコピージョブのサービスを提供可能な装置である。例えば、画像処理装置１０は、複写機または複写機能およびファクシミリ通信機能を有する複合機などである。画像処理装置１０は、コンビニエンスストアなどの店舗または図書館などの公共施設などに設置される。
【００１３】
本実施形態において、画像処理装置１０は、インターネットまたはＷＡＮ（Wide Area Network）などのネットワーク８０を通じてサーバー装置８と通信可能である。サーバー装置８は、画像処理装置１０と通信可能なコンピューターである。
【００１４】
サーバー装置８は、ネットワーク８０を通じて複数の画像処理装置１０と通信可能である。サーバー装置８と通信可能な複数の画像処理装置１０は、例えばそれぞれ異なる店舗等に設置画されている。
【００１５】
サーバー装置８は、画像処理装置１０から受信したデータをデータ記憶部８ａに保存し、保存したデータを画像処理装置１０へ送信可能である。データ記憶部８ａは、コンピューター読み取り可能な不揮発性の記憶装置である。
【００１６】
画像処理装置１０は、画像読取部１、画像形成部２，ユーザーインターフェイスデバイス３、金銭処理部４、制御部５、通信部６および二次記憶部７などを備える。
【００１７】
ユーザーインターフェイスデバイス３は、操作部３ａおよび表示部３ｂを含むユーザーインターフェイスである。操作部３ａは、ユーザーの操作を受け付ける装置であり、例えばタッチパネルを含む。本実施形態では、操作部３ａは、押しボタンである返金ボタン３ｘを含む。表示部３ｂは、情報を表示可能な液晶パネルなどの表示パネルを含む。
【００１８】
通信部６は、ネットワーク８０を通じてサーバー装置８との間で通信を行う通信インターフェイスデバイスである。制御部５は、サーバー装置８との間のデータの送信および受信の全てを通信部６を通じて行う。
【００１９】
二次記憶部７は、コンピューター読み取り可能な不揮発性のデータ記憶装置である。二次記憶部７は、プログラムおよび各種のデータを記憶可能である。例えば、ハードディスクドライブおよびＳＳＤ（Solid State Drive）の一方または両方の組合せが、二次記憶部７として採用される。
【００２０】
画像読取部１は、原稿９１の画像を読み取る読取処理を実行する装置である。画像読取部１は、光源１ａ、走査機構１ｂ、イメージセンサー１ｃおよびＡＦＥ（Analog Front End）１ｄなどを備える。
【００２１】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。
【００２２】
ＡＦＥ（１ｄ）は、前記画像信号をデジタルの画像データへ変換する。以下の説明において、画像読取部１の前記読取処理によって原稿９１から読み取られた画像のことを読取画像と称する。また、前記読取画像を表す画像データ、即ち、画像読取部１が出力する画像データのことを読取画像データと称する。
【００２３】
画像形成部２は、電子写真方式またはインクジェット方式などの予め定められた方式でシート９２に画像を形成する装置である。本実施形態において、画像形成部２は、前記読取画像をシート９２に形成する印刷処理を実行する。
【００２４】
例えば、画像形成部２が電子写真方式で前記印刷処理を実行する装置である場合、画像形成部２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００２５】
シート搬送機構２ａは、予め定められた経路に沿ってシート９２を搬送する。帯電装置２ｃは、感光体２ｂの表面を帯電させる。レーザースキャニングユニット２ｄは、帯電した感光体２ｂの表面に静電潜像を書き込む。
【００２６】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。以下の説明において、画像が形成されたシート９２のことを印刷物９２ａと称する。
【００２７】
金銭処理部４は、入金部４ａ、貯留部４ｂおよび返金部４ｃを備える。入金部４ａは、ユーザーによって供給される金銭を、ユーザーがアクセスできない筐体内へ受け入れる機構である。さらに、入金部４ａは、受け入れた金銭の額である入金額を判定する。
【００２８】
貯留部４ｂは、前記筐体内において、金銭を種類ごとに仕分けして貯める機構である。返金部４ｃは、ユーザーがアクセス可能な釣り銭受部４０ａおよび金銭排出部４０ｂを備える。金銭排出部４０ｂは、課金制御部５３による制御に従って、貯留部４ｂに貯まった金銭の一部を釣り銭受部４０ａへ排出する返金処理を実行する機構である。例えば、金銭排出部４０ｂは、貯留部４ｂから釣り銭受部４０ａへ連通する金銭の落下経路を開閉する弁および前記弁を駆動するモーターなどを備える。
【００２９】
即ち、金銭処理部４は、入金部４ａにより受け入れられた金銭を貯留部４ｂに貯め、さらに、貯留部４ｂに貯まった金銭の一部を返金部４ｃの釣り銭受部４０ａへ排出可能な装置である。
【００３０】
制御部５は、各種の演算、データ処理および画像処理装置１０が備える各種の電気機器の制御を実行する。制御部５は、画像読取部１、画像形成部２、ユーザーインターフェイスデバイス３、金銭処理部４および通信部６との間でデータおよび制御信号の受け渡しが可能である。
【００３１】
制御部５は、画像処理に関する各種のジョブを制御する主制御部５１と、各種の画像処理を実行する画像処理部５２と、金銭処理部４を制御する課金制御部５３とを含む。主制御部５１は、さらにユーザーインターフェイスデバイス３および通信部６を制御する。
【００３２】
例えば、制御部５は、二次記憶部７などに記憶されたプログラムを実行するＣＰＵ（Central Processing Unit）またはＤＳＰ（Digital Signal Processor）などのプロセッサーによって実現される。
【００３３】
主制御部５１は、読取制御部５１ａ、印刷制御部５１ｂおよびＵＩ（User Interface）制御部５１ｃなどを含む。
【００３４】
読取制御部５１ａおよび印刷制御部５１ｂは、画像読取部１および画像形成部２に前記コピージョブを実行させる。前記コピージョブの実行において、読取制御部５１ａが、画像読取部１に前記読取処理を実行させ、印刷制御部５１ｂが、前記読取画像に基づく前記印刷処理を画像形成部２に実行させる。
【００３５】
また、ＵＩ制御部５１ｃは、操作部３ａに対する操作に従って情報を入力し、表示部３ｂに各種の情報を表示させる。
【００３６】
画像処理部５２は、前記読取画像データについての加工処理またはデータ変換処理などの画像処理を実行する。例えば、画像処理部５２は、前記読取画像データを印刷用のラスタデータへ変換するラスタライズ部５２ａなどを含む。
【００３７】
課金制御部５３は、返金部４ｃを制御することにより、返金部４ｃに前記釣り銭排出処理を実行させる。例えば、課金制御部５３は、操作部３ａの返金ボタン３ｘが操作されたことを検知した場合に、返金部４ｃに前記釣り銭排出処理を実行させる。
【００３８】
なお、返金ボタン３ｘは、返金操作を受け付ける返金操作部の一例である。ＵＩ制御部５１ｃが返金ボタン３ｘに相当する操作アイコンである返金アイコンを表示部３ｂに表示させることも考えられる。この場合、操作部３ａの一部として機能する前記返金アイコンが前記返金操作部の一例である。
【００３９】
ところで、店舗等に設置される画像処理装置１０は、不特定のユーザーによって利用されるため、ユーザー認証処理を行わない。従来の装置も同様である。そのため、従来の装置では、前記ユーザーが取り忘れた釣り銭が出店者等によって回収された場合、前記ユーザーと前記釣り銭との対応関係を確認することができない。この場合、前記ユーザーは、取り忘れた前記釣り銭を受け取ることができない。
【００４０】
一方、画像処理装置１０は、後述するコピー課金制御および事後返金制御を実行する。これにより、画像処理装置１０が採用されれば、前記ユーザーが前記釣り銭を取り忘れた後に、前記ユーザーと前記ユーザーが取り忘れた前記釣り銭との対応関係を確認した上で前記釣り銭を前記ユーザーに提供することができる。
【００４１】
［コピー課金制御］
以下、図２に示されるフローチャートを参照しつつ、前記課金制御の手順の一例について説明する。以下の説明において、Ｓ１０１，Ｓ１０２，…は、前記コピー課金制御において実行される工程の識別符号を表す。主制御部５１は、前記コピー課金制御を実行するために、ＩＤ取得部５１ｄ、未取得検知部５１ｅおよびデータ管理部５１ｆをさらに含む。
【００４２】
ＵＩ制御部５１ｃが、操作部３ａに対する予め定められたコピー開始操作を検知したときに、前記コピー課金制御が開始される。なお、前記コピー開始操作が行われる前に、ユーザーが持参してきた原稿９１が画像読取部１にセットされる。
【００４３】
＜工程Ｓ１０１＞
前記コピー課金制御において、まず、主制御部５１のＩＤ取得部５１ｄが、前記コピージョブごとに一意の識別情報であるジョブＩＤ（Ｄ０１）をサーバー装置８から取得する。
【００４４】
工程Ｓ１０１において、ＩＤ取得部５１ｄが新たなジョブＩＤ（Ｄ０１）の提供をサーバー装置８に要求し、サーバー装置８は、過去に設定したジョブＩＤ（Ｄ０１）と重複しない新たなジョブＩＤ（Ｄ０１）を設定し、そのジョブＩＤ（Ｄ０１）を画像処理装置１０へ送信する。
【００４５】
＜工程Ｓ１０２＞
次に、課金制御部５３の金額管理部５３ａが、入金部４ａにより判定された前記入金額が十分であるか否かを判定する。
【００４６】
具体的には、金額管理部５３ａは、前記コピー開始操作により指定される印刷条件に対応する課金額を算出し、前記入金額が前記課金額以上である場合に、前記入金額が十分であると判定し、そうでない場合に、前記入金額が不十分であると判定する。前記印刷条件は、前記印刷処理の内容を表す。
【００４７】
例えば、前記印刷条件が、カラー印刷およびモノクロ印刷のいずれであるかを示す色条件、および使用するシート９２のサイズを示すサイズ条件などを含むことが考えられる。金額管理部５３ａは、前記色条件および前記サイズ条件を予め定められた課金式に適用することによって前記課金額を算出する。
【００４８】
金額管理部５３ａは、前記入金額が十分であると判定した場合に処理を工程Ｓ１０４へ移行させ、前記入金額が不十分であると判定した場合に処理を工程Ｓ１０３へ移行させる。
【００４９】
＜工程Ｓ１０３＞
前記入金額が不十分であると判定された場合、ＵＩ制御部５１ｃが、表示部３ｂに入金案内のメッセージを表示させる。前記入金案内のメッセージは、不足している金額以上の金銭を入金部４ａに供給することを促すメッセージである。
【００５０】
ＵＩ制御部５１ｃは、工程Ｓ１０３の処理の後、処理を工程Ｓ１０２へ移行させる。これにより、工程Ｓ１０２からの処理が再び実行される。
【００５１】
＜工程Ｓ１０４＞
前記入金額が十分であると判定された場合、読取制御部５１ａが画像読取部１に前記読取処理を実行させる。これにより、ユーザーが持参した原稿９１の画像が画像読取部１によって読み取られる。即ち、画像読取部１は、原稿９１の画像を表す前記読取画像データを出力する。
【００５２】
＜工程Ｓ１０５＞
次に、画像処理部５２の透かし処理部５２ｂが、工程Ｓ１０４で得られた前記読取画像データが表す前記読取画像に、ジョブＩＤ（Ｄ０１）を表す非視認性の透かしを付加する。
【００５３】
即ち、透かし処理部５２ｂは、前記読取画像データを前記透かしが埋め込まれたデータへ加工し、加工後の前記読取画像データを出力する。例えば、前記透かしが、地紋透かし、および、フォント透かしの一方または両方であることが考えられる。
【００５４】
＜工程Ｓ１０６＞
次に、印刷制御部５１ｂが、前記透かしのデータが埋め込まれた前記読取画像データに基づく前記印刷処理を画像形成部２に実行させる。これにより、画像形成部２は、前記透かしが付加された前記読取画像をシート９２に形成する。
【００５５】
＜工程Ｓ１０７＞
次に、金額管理部５３ａが、前記入金額と前記印刷処理の内容に応じた前記課金額との差額である残金額を算出する。その際、ＵＩ制御部５１ｃが、算出された前記残金額の情報を表示部３ｂに表示させる。
【００５６】
＜工程Ｓ１０８＞
次に、ＵＩ制御部５１ｃが、操作部３ａに対する操作を検知する処理を実行する。ＵＩ制御部５１ｃは、再び前記コピー開始操作を検知した場合、処理を工程Ｓ１０２へ移行させ、返金ボタン３ｘに対する操作を検知した場合、処理を工程Ｓ１０９へ移行させ、その他の場合に処理を工程Ｓ１１１へ移行させる。
【００５７】
＜工程Ｓ１０９＞
工程Ｓ１０９において、課金制御部５３の返金制御部５３ｂが、金銭排出部４０ｂに一次返金処理を実行させる。前記一次返金処理は、工程Ｓ１０７で算出された前記残金額に対応する釣り銭を釣り銭受部４０ａに排出する処理である。
【００５８】
＜工程Ｓ１１０＞
次に、金額管理部５３ａが、前記残金額をリセットし、前記コピー課金制御を終了させる。返金制御部５３ｂは、前記残金額がリセットされた状態において、金銭排出部４０ｂに一次返金処理を実行させない。
【００５９】
＜工程Ｓ１１１＞
工程Ｓ１１１において、操作部３ａに対する操作が検知されなかった場合、主制御部５１の未取得検知部５１ｅが、未取得状態を検知する処理を実行する。前記未取得状態は、前記残金額に相当する前記釣り銭がユーザーによって返金部４ｃから取得されなかった状態である。
【００６０】
本実施形態において、未取得検知部５１ｅは、工程Ｓ１０６の前記印刷処理が実行された後に、画像読取部１および画像形成部２が動作せず、かつ、画像処理装置１０に対する操作が行われない状態が予め定められた時間継続した場合に、前記未取得状態を検知する。
【００６１】
従って、画像処理装置１０は、前記未取得状態を検知するための特別なセンサーを必要としない。前記特別なセンサーは、例えば、釣り銭受部４０ａに存在する前記釣り銭を検出するセンサーなどである。
【００６２】
未取得検知部５１ｅは、前記未取得状態を検知できなかった場合、処理を工程Ｓ１０８へ移行させる。これにより、工程Ｓ１０８以降の処理が繰り返される。一方、未取得検知部５１ｅは、前記未取得状態を検知した場合に処理を工程Ｓ１１２へ移行させる。
【００６３】
＜工程Ｓ１１２＞
工程Ｓ１１２において、主制御部５１のデータ管理部５１ｆが、返金管理データ登録処理を実行する。前記返金管理データ登録処理は、返金管理データＤ０をサーバー装置８が備えるデータ記憶部８ａに記憶させる処理である。
【００６４】
工程Ｓ１１２において、データ管理部５１ｆは、返金管理データＤ０を含む登録要求をサーバー装置８へ送信する。サーバー装置８は、画像処理装置１０から返金管理データＤ０を受信し、受信した返金管理データＤ０を返金管理データベースＤ００の一部としてデータ記憶部８ａに保存する（図４参照）。
【００６５】
返金管理データＤ０は、工程Ｓ１０１で得られたジョブＩＤ（Ｄ０１）および前記残金額を表す返金額データＤ０２を含む。返金管理データＤ０に含められるジョブＩＤ（Ｄ０１）は、前記未取得状態が検知された前記釣り銭に対応する識別情報を表す返金識別データの一例である。
【００６６】
なお、後述するように、データ管理部５１ｆは、ジョブＩＤ（Ｄ０１）を指定する情報を含むダウンロード要求をサーバー装置８に送信することにより、ジョブＩＤ（Ｄ０１）に対応する返金額データＤ０２をデータ記憶部８ａから取得可能である（図３の工程Ｓ２０５参照）。
【００６７】
データ管理部５１ｆは、工程Ｓ１１２の処理を実行後、処理を工程Ｓ１１０へ移行させる。これにより、工程Ｓ１１０の処理が実行された後、前記コピー課金制御が終了する。
【００６８】
以上に示されるように、返金制御部５３ｂは、工程Ｓ１１１において前記未取得状態が検知される前に、工程Ｓ１０８−Ｓ１０９において、返金ボタン３ｘに対する操作に応じて金銭処理部４に前記一次返金処理を実行させる。換言すれば、工程Ｓ１１１において前記未取得状態が検知された後において、返金制御部５３ｂは、前記一次返金処理を禁止する。
【００６９】
前記ユーザーが前記釣り銭を取り忘れ、工程Ｓ１１１において前記未取得状態が検知された場合、工程Ｓ１１０において前記残金額がリセットされる。そのため、返金ボタン３ｘが、前記未取得状態が検知された後に操作されても、前記釣り銭は釣り銭受部４０ａに排出されない。これにより、他人が前記釣り銭を持ち去ることが防止される。
【００７０】
また、画像処理装置１０は、工程Ｓ１０６の処理により、前記透かしが埋め込まれた印刷物９２ａを生成する。返金管理データＤ０は、印刷物９２ａに埋め込まれた前記透かしに対応するジョブＩＤ（Ｄ０１）と、前記釣り銭の額を表す返金額データＤ０２とを含む。従って、返金管理データＤ０は、前記ユーザーの所有物となる印刷物９２ａと前記ユーザーが取り忘れた前記釣り銭との対応関係を表すデータである。
【００７１】
前記釣り銭を取り忘れた前記ユーザーが、前記透かしが埋め込まれた印刷物９２ａを持参して最寄りの画像処理装置１０の設置場所へ行き、画像処理装置１０を操作することにより、画像処理装置１０が前記事後返金制御を実行する。これにより、前記釣り銭が前記ユーザーへ提供される。
【００７２】
［事後返金制御］
以下、図３に示されるフローチャートを参照しつつ、前記事後返金制御の手順の一例について説明する。以下の説明において、Ｓ２０１，Ｓ２０２，…は、前記事後返金制御において実行される工程の識別符号を表す。画像処理部５２は、前記事後返金制御を実行するために、透かし抽出部５２ｃをさらに含む。
【００７３】
ＵＩ制御部５１ｃが、操作部３ａに対する予め定められた返金モード選択操作を検知し、さらに、前記コピー開始操作を検知したときに、前記事後返金制御が開始される。前記返金モード選択操作は、返金モードを動作モードとして選択する操作である。前記返金モードは、前記事後返金制御を実行するための動作モードである。
【００７４】
＜工程Ｓ２０１＞
前記事後返金制御において、まず、ＵＩ制御部５１ｃが、表示部３ｂに原稿セット案内のメッセージを表示させる。前記原稿セット案内のメッセージは、前記釣り銭を取り忘れたときの前記コピージョブにより得られた印刷物９２ａを原稿９１として画像読取部１にセットすることを促すメッセージである。
【００７５】
＜工程Ｓ２０２＞
次に、ＵＩ制御部５１ｃが、操作部３ａに対する操作を検知する処理を実行する。ＵＩ制御部５１ｃは、前記コピー開始操作を検知した場合、前記事後返金制御を終了させ、その他の場合に工程Ｓ２０２の処理を継続する。
【００７６】
＜工程Ｓ２０３＞
工程Ｓ２０３において、読取制御部５１ａが画像読取部１に前記読取処理を実行させる。これにより、前記ユーザーが持参した印刷物９２ａの画像が画像読取部１によって読み取られる。即ち、画像読取部１は、前記ユーザーが持参した印刷物９２ａの画像を表す前記読取画像データを出力する。
【００７７】
＜工程Ｓ２０４＞
次に、画像処理部５２の透かし抽出部５２ｃが、透かし抽出処理を実行する。前記透かし抽出処理は、工程Ｓ２０３において画像読取部１によって印刷物９２ａから読み取られた前記読取画像から前記透かしを抽出する処理である。
【００７８】
さらに、透かし抽出部５２ｃは、前記読取画像から前記透かしを抽出できた場合に、抽出した前記透かしが表す情報が、ジョブＩＤ（Ｄ０１）を表す情報であるか否かを判定する。以下の説明において、工程Ｓ２０４で抽出された前記透かしが表す情報のことを抽出透かし情報と称する。
【００７９】
透かし抽出部５２ｃは、前記抽出透かし情報が、ジョブＩＤ（Ｄ０１）を表す情報であると判定した場合、処理を工程Ｓ２０５へ移行させ、その他の場合に、処理を工程Ｓ２０８へ移行させる。ここで、前記その他の場合には、前記抽出透かし情報が、ジョブＩＤ（Ｄ０１）を表す情報ではない場合、および、前記読取画像から前記透かしを抽出できなかった場合を含む。
【００８０】
＜工程Ｓ２０５＞
次に、データ管理部５１ｆが、返金額取得処理を実行する。前記返金額取得処理は、サーバー装置８のデータ記憶部８ａから、工程Ｓ２０４で抽出された前記透かしが表すジョブＩＤ（Ｄ０１）に対応する返金額データＤ０２を取得する処理である。
【００８１】
具体的には、工程Ｓ２０５において、データ管理部５１ｆは、サーバー装置８に対してジョブＩＤ（Ｄ０１）を含む返金額要求を送信し、サーバー装置８から返信されてくる返金額データＤ０２を取得する。
【００８２】
但し、データ記憶部８ａに記憶されている返金管理データベースＤ００が、前記返金額要求に含まれるジョブＩＤ（Ｄ０１）を含まない場合、データ管理部５１ｆは返金額データＤ０２を取得できない。
【００８３】
工程Ｓ２０５において、データ管理部５１ｆは、ジョブＩＤ（Ｄ０１）に対応する返金額データＤ０２を取得できた場合に処理を工程Ｓ２０６へ移行させ、そうでない場合に処理を工程Ｓ２０８へ移行させる。
【００８４】
＜工程Ｓ２０６＞
工程Ｓ２０６において、返金制御部５３ｂが、金銭排出部４０ｂに二次返金処理を実行させる。前記二次返金処理は、工程Ｓ２０５で得られた返金額データＤ０２が表す額の釣り銭を釣り銭受部４０ａに排出する処理である。
【００８５】
＜工程Ｓ２０７＞
さらに、データ管理部５１ｆが、工程Ｓ２０４の処理によって抽出された前記透かしが表すジョブＩＤ（Ｄ０１）を含む返金管理データＤ０をデータ記憶部８ａから削除する処理を実行する。これ以降、データ記憶部８ａから削除されたジョブＩＤ（Ｄ０１）に対応する前記二次返金処理を実行することはできない。
【００８６】
具体的には、工程Ｓ２０９において、データ管理部５１ｆは、サーバー装置８に対してジョブＩＤ（Ｄ０１）を含む削除要求を送信する。前記削除要求に含められるジョブＩＤ（Ｄ０１）は、工程Ｓ２０４で抽出された前記透かしが表すジョブＩＤ（Ｄ０１）である。
【００８７】
サーバー装置８は、前記削除要求を受信した場合、受信した前記削除要求に含まれるジョブＩＤ（Ｄ０１）を含む返金管理データＤ０を、データ記憶部８ａの返金管理データベースＤ００から削除する。即ち、データ管理部５１ｆは、サーバー装置８を通じてデータ記憶部８ａ内の返金管理データＤ０を削除する。
【００８８】
工程Ｓ２０６，Ｓ２０７の処理は、データ記憶部８ａに記憶されている返金管理データＤ０におけるジョブＩＤ（Ｄ０１）を表す前記透かしが前記透かし抽出処理（工程Ｓ２０４）によって抽出された場合に実行される。データ管理部５１ｆは、工程Ｓ２０７の処理の終了後、前記事後返金制御を終了させる。
【００８９】
＜工程Ｓ２０８＞
一方、工程Ｓ２０８において、ＵＩ制御部５１ｃが、予め定められたエラーメッセージを表示部３ｂに表示させる。その後、ＵＩ制御部５１ｃは、前記事後返金制御を終了させる。
【００９０】
工程Ｓ２０８の処理は、工程Ｓ２０４において前記透かしが前記読取画像から抽出されなかった場合、または、工程Ｓ２０５においてジョブＩＤ（Ｄ０１）に対応する返金額データＤ０２が取得されなかった場合に実行される。
【００９１】
以上に示されるように、画像処理装置１０は、工程Ｓ２０３〜Ｓ２０６の処理を実行することにより、前記ユーザーと前記ユーザーが取り忘れた前記釣り銭との対応関係を確認した上で前記釣り銭を前記ユーザーに提供することができる。
【００９２】
また、データ管理部５１ｆは、通信部６を通じてサーバー装置８にアクセスすることにより、サーバー装置８のデータ記憶部８ａに返金管理データＤ０を記憶させる処理（図２のＳ１１２）、データ記憶部８ａから返金額データＤ０２を取得する処理（図３のＳ２０５）、および返金管理データＤ０をデータ記憶部８ａから削除する処理（図３のＳ２０７）を実行する。
【００９３】
従って、前記釣り銭を取り忘れた前記ユーザーは、印刷物９２ａの出力に用いた画像処理装置１０の設置場所に戻らなくても、最寄りに設置された画像処理装置１０を用いて前記釣り銭を得ることができる。
【００９４】
［第２実施形態］
次に、図５を参照しつつ、第２実施形態に係る画像処理装置１０ｘについて説明する。図５において、図１に示される構成要素と同じ構成要素は、同じ参照符号が付されている。以下、画像処理装置１０ｘにおける画像処理装置１０と異なる点について説明する。
【００９５】
画像処理装置１０ｘは、図１に示される画像処理装置１０に、金銭処理部４の釣り銭センサー７００および主制御部５１の警報処理部５１ｇが追加された構成を有している。さらに、画像処理装置１０ｘのユーザーインターフェイスデバイス３は、音響出力装置３ｃを備える。
【００９６】
釣り銭センサー７００は、返金部４ｃの釣り銭受部４０ａに存在する前記釣り銭を検出するセンサーである。例えば、釣り銭センサー７００が、釣り銭受部４０ａに存在する物体の重さを検出する重量センサーであることが考えられる。
【００９７】
また、釣り銭センサー７００が、釣り銭受部４０ａに存在する物体を撮影するカメラと画像処理を実行する金銭検知処理部とを含むことが考えられる。この場合、前記金銭処理部は、前記カメラにより撮影された画像に金銭の画像が含まれるか否かを判定する。
【００９８】
本実施形態において、未取得検知部５１ｅは、前記一次返金処理（図２の工程Ｓ１０９）が実行された後に、前記未取得状態を検知することが可能である。この場合、未取得検知部５１ｅは、釣り銭センサー７００によって釣り銭受部４０ａの前記釣り銭が検知される状態が予め定められた時間継続した場合に、前記未取得状態を検知する。
【００９９】
また、警報処理部５１ｇは、前記未取得状態が未取得検知部５１ｅによって検知された場合に警報処理を実行する。例えば、前記警告処理が、音響出力装置３ｃを通じて警告音を出力するとともに、表示部３ｂに前記釣り銭を回収することを促すメッセージを出力する処理であることが考えられる。
【０１００】
店舗等における画像処理装置１０の管理者は、前記警報処理に応じて、前記ユーザーが取り忘れた前記釣り銭を回収する。これにより、他人が、釣り銭受部４０ａに排出されてしまった前記釣り銭を持ち去ることが防止される。また、前記警報処理が実行される場合、図２の工程Ｓ１１２の処理も実行されることが考えられる。
【０１０１】
画像処理装置１０ｘが採用される場合も、画像処理装置１０が採用される場合と同様の効果が得られる。
【０１０２】
[応用例]
以上に示された画像処理装置１０，１０ｘにおいて、データ管理部５１ｆが、返金管理データＤ０を自装置の二次記憶部７に記憶させることも考えられる。
【０１０３】
本応用例において、データ管理部５１ｆは、図２の工程Ｓ１１２において、二次記憶部７に返金管理データＤ０を記憶させる。さらに、データ管理部５１ｆは、図３の工程Ｓ２０５において、ジョブＩＤ（Ｄ０１）に対応する返金額データＤ０２を二次記憶部７から取得する。さらに、データ管理部５１ｆは、図３の工程Ｓ２０７において、返金管理データＤ０を二次記憶部７から削除する。
【０１０４】
また、本応用例において、主制御部５１は、ＩＤ取得部５１ｅの代わりに、ＩＤ設定部を備える。前記ＩＤ設定部は、図２の工程Ｓ１０１において、過去に設定したジョブＩＤ（Ｄ０１）と重複しない新たなジョブＩＤ（Ｄ０１）を設定する。
【０１０５】
但し、本応用例においては、前記ユーザーは、取り忘れた前記釣り銭を得るために、印刷物９２ａの出力に用いた画像処理装置１０の設置場所に戻る必要がある。本応用例において、二次記憶部７が不揮発性のデータ記憶部の一例である。
【符号の説明】
【０１０６】
１                  ：画像読取部
１ａ                ：光源
１ｂ                ：走査機構
１ｃ                ：イメージセンサー
２                  ：画像形成部
２ａ                ：シート搬送機構
２ｂ                ：感光体
２ｃ                ：帯電装置
２ｄ                ：レーザースキャニングユニット
２ｅ                ：現像装置
２ｆ                ：転写装置
２ｇ                ：定着装置
３                  ：ユーザーインターフェイスデバイス
３ａ                ：操作部
３ｂ                ：表示部
３ｃ                ：音響出力装置
３ｘ                ：返金ボタン
４                  ：金銭処理部
４ａ                ：入金部
４ｂ                ：貯留部
４ｃ                ：返金部
５                  ：制御部
６                  ：通信部
７                  ：二次記憶部
８                  ：サーバー装置
８ａ                ：データ記憶部
１０、１０ｘ        ：画像処理装置
４０ａ              ：釣り銭受部
４０ｂ              ：金銭排出部
５１                ：主制御部
５１ａ              ：読取制御部
５１ｂ              ：印刷制御部
５１ｃ              ：ＵＩ制御部
５１ｄ              ：ＩＤ取得部
５１ｅ              ：未取得検知部
５１ｆ              ：データ管理部
５１ｇ              ：警報処理部
５２                ：画像処理部
５２ａ              ：ラスタライズ部
５２ｂ              ：透かし処理部
５２ｃ              ：透かし抽出部
５３                ：課金制御部
５３ａ              ：金額管理部
５３ｂ              ：返金制御部
８０                ：ネットワーク
９１                ：原稿
９２                ：シート
９２ａ              ：印刷物
７００              ：釣り銭センサー
Ｄ０                ：返金管理データ
Ｄ００              ：返金管理データベース
Ｄ０１              ：ジョブＩＤ（識別情報、返金識別データ）
Ｄ０２              ：返金額データ
【図１】
2018173738.tif 000003
【図２】
2018173738.tif 000004
【図３】
2018173738.tif 000005
【図４】
2018173738.tif 000006
【図５】
2018173738.tif 000007